(57)【要約】【課題】記録用紙の全面を使って画像の形成を行う際における記録用紙裏面のトナーによる汚染を緩和する。【解決手段】感光体ドラム１５上のトナー像が相互に重ね合わされるように転写される中間転写ベルト２５と、中間転写ベルト２５上のトナー像を記録用紙３４に転写する二次転写ロール３３と、二次転写ロール３３に付着したトナーを除去するクリーニングブレード５１およびブラシ５２と、記録用紙３４に余白を作って画像の形成を行う第１の画像形成態様が選択されたときには二次転写ロール３３の周速度を第１の速度にして画像形成が実行され、記録用紙３４の全面を使って画像の形成を行う第２の画像形成態様が選択されたときには第１の速度よりも遅い第２の速度で画像の形成が実行されるように制御するＣＰＵ５１とを有する。【選択図】図４
2013152302.tif 000002
【特許請求の範囲】
【請求項１】
複数色に対応して設けられ、画像情報に基づいて形成される静電潜像を保持する複数の保持手段と、
前記複数の保持手段に対応して設けられ、各保持手段の表面に形成された静電潜像を現像剤を用いて現像して現像剤像を形成する複数の現像手段と、
前記複数の保持手段に対応して設けられ、前記保持手段上の現像剤像が相互に重ね合わされるように中間転写体に転写する複数の一次転写手段と、
前記中間転写体上の現像剤像を記録媒体に転写する二次転写手段と、
前記二次転写手段に付着した現像剤を除去する除去手段と、
記録媒体に余白を作って画像の形成を行う第１の画像形成態様および記録媒体の全面を使って画像の形成を行う第２の画像形成態様が選択的に実行されるように画像の形成態様を制御するとともに、前記第１の画像形成態様が選択されたときには第１の速度で画像形成が実行され、前記第２の画像形成態様が選択されたときには前記第１の速度よりも遅い第２の速度で画像の形成が実行されるように画像の形成速度を制御する制御手段と、
を有することを特徴とする画像形成装置。
【請求項２】
前記第２の速度における前記二次転写手段の周速度は、前記第１の速度のときの前記二次転写手段の周速度の７０％以下である、
ことを特徴とする請求項１記載の画像形成装置。
【請求項３】
前記二次転写手段の周速度は、前記第１の速度のときには３０８ｍｍ／ｓｅｃ、前記第２の速度のときには２２０ｍｍ／ｓｅｃである、
ことを特徴とする請求項１記載の画像形成装置。
【発明の詳細な説明】
【技術分野】
【０００１】
本発明は、画像形成装置に関するものである。
【背景技術】
【０００２】
複写機、プリンタ、ファクシミリあるいはこれらの機能を合わせ持つ複合機等のような画像を形成する画像形成装置においては、中間転写方式を適用して画像を形成する装置がある。
【０００３】
中間転写方式は、複数の作像ユニットによって形成された多色のトナー像（現像剤像）を一次転写ロール（一次転写手段）により中間転写ベルト（中間転写体）に重ね合わせて一次転写した後、その中間転写ベルト上のトナー像を二次転写ロール（二次転写手段）により記録用紙等の記録媒体に一括転写（二次転写）する方式である。
【０００４】
一方、記録用紙に形成される画像の態様には、記録用紙に余白を作って画像の形成を行う態様と、記録用紙の全面を使って画像の形成を行う態様とがある。
【０００５】
なお、記録用紙の全面を使って画像の形成を行う画像形成装置については、例えば特許文献１〜３に記載されたものが知られている。
【先行技術文献】
【特許文献】
【０００６】
【特許文献１】特許第４６４５３５７号公報
【特許文献２】特許第４７６５８２５号公報
【特許文献３】特開２００９−２８２３６７号公報
【発明の概要】
【発明が解決しようとする課題】
【０００７】
本発明は、記録媒体の全面を使って画像の形成を行う際において中間転写体から二次転写手段に転写された現像剤による記録媒体裏面の汚染を緩和することのできる画像形成装置を提供することを目的とする。
【課題を解決するための手段】
【０００８】
上記課題を解決するため、請求項１に記載の本発明の画像形成装置は、複数色に対応して設けられ、画像情報に基づいて形成される静電潜像を保持する複数の保持手段と、前記複数の保持手段に対応して設けられ、各保持手段の表面に形成された静電潜像を現像剤を用いて現像して現像剤像を形成する複数の現像手段と、前記複数の保持手段に対応して設けられ、前記保持手段上の現像剤像が相互に重ね合わされるように中間転写体に転写する複数の一次転写手段と、前記中間転写体上の現像剤像を記録媒体に転写する二次転写手段と、前記二次転写手段に付着した現像剤を除去する除去手段と、記録媒体に余白を作って画像の形成を行う第１の画像形成態様および記録媒体の全面を使って画像の形成を行う第２の画像形成態様が選択的に実行されるように画像の形成態様を制御するとともに、前記第１の画像形成態様が選択されたときには第１の速度で画像形成が実行され、前記第２の画像形成態様が選択されたときには前記第１の速度よりも遅い第２の速度で画像の形成が実行されるように画像の形成速度を制御する制御手段と、を有することを特徴とする。
【０００９】
請求項２に記載の発明は、上記請求項１に記載の発明において、前記第２の速度における前記二次転写手段の周速度は、前記第１の速度のときの前記二次転写手段の周速度の７０％以下である、ことを特徴とする。
【００１０】
請求項３に記載の発明は、上記請求項１に記載の発明において、前記二次転写手段の周速度は、前記第１の速度のときには３０８ｍｍ／ｓｅｃ、前記第２の速度のときには２２０ｍｍ／ｓｅｃである、ことを特徴とする。
【発明の効果】
【００１１】
請求項１記載の発明によれば、本発明を採用しない場合に比較して、記録媒体の全面を使って画像の形成を行う際において中間転写体から二次転写手段に転写された現像剤による記録媒体裏面の汚染を緩和することができる。
【００１２】
請求項２記載の発明によれば、本発明を採用しない場合に比較して、中間転写体から記録媒体への現像剤の転写効率を低下させることなく、記録媒体の全面を使って画像の形成を行う際における記録媒体の裏面の汚染を緩和することができる。
【００１３】
請求項３記載の発明によれば、本発明を採用しない場合に比較して、中間転写体から記録媒体への現像剤の転写効率を低下させることなく、記録媒体の全面を使って画像の形成を行う際における記録媒体の裏面の汚染を緩和することができる。
【図面の簡単な説明】
【００１４】
【図１】本発明の一実施の形態に係る画像形成装置の構成を示す概略図である。
【図２】本発明の一実施の形態に係る画像形成装置において第２の画像形成態様での二次転写前後におけるトナー像を示す説明図である。
【図３】本発明の一実施の形態に係る画像形成装置において第２の画像形成態様で二次転写ロールに転写されたトナーを示す説明図である。
【図４】本発明の一実施の形態に係る画像形成装置において、二次転写ロールの周速度が３０８ｍｍ／ｓｅｃのときと２２０ｍｍ／ｓｅｃのときにおける転写バイアス電圧と記録用紙の裏面汚れグレードとの関係を示すグラフである。
【図５】本発明の一実施の形態に係る画像形成装置において、二次転写ロールの周速度が３０８ｍｍ／ｓｅｃのときと２２０ｍｍ／ｓｅｃのときにおけるトナーの帯電量と付着力とを示す表である。
【図６】本発明の一実施の形態に係る画像形成装置において、二次転写ロールの周速度が３０８ｍｍ／ｓｅｃのときと２２０ｍｍ／ｓｅｃのときにおけるトナーの帯電分布と付着力との関係を示すグラフである。
【発明を実施するための形態】
【００１５】
以下、本発明の一例としての実施の形態について、図面に基づいて詳細に説明する。なお、実施の形態を説明するための図面において、同一の構成要素には原則として同一の符号を付し、その繰り返しの説明は省略する。
【００１６】
図１は、本発明の一実施の形態に係る画像形成装置ＰＲ１としてのタンデム型のデジタルカラー複写機を示すものである。
【００１７】
このデジタルカラー複写機ＰＲ１の一端側の上部には、原稿２をプラテンガラス５上に押圧するプラテンカバー３と、プラテンガラス５上に載置された原稿２の画像を読み取る画像読取装置４が設けられている。
【００１８】
この画像読取装置４は、プラテンガラス５上に載置された原稿２を光源６によって照明し、原稿２からの反射光像を、フルレートミラー７およびハーフレートミラー８、９および結像レンズ１０からなる縮小光学系を介してＣＣＤ等からなる画像読取素子１１上に走査露光して、この画像読取素子１１によって原稿２の色材反射光像を予め設定されたドット密度で読み取るように構成されている。
【００１９】
画像読取装置４によって読み取られた原稿２の色材反射光像は、例えば、赤（Ｒ）、緑（Ｇ）、青（Ｂ）の３色の原稿反射率データとして画像処理装置１２に送られ、この画像処理装置１２では、原稿２の反射率データに対して、シェーデイング補正、位置ズレ補正、明度／色空間変換、ガンマ補正、枠消し、色／移動編集等の画像処理が施される。
【００２０】
そして、画像処理装置１２で画像処理が施された画像データは、イエロー（Ｙ）、マゼンタ（Ｍ）、シアン（Ｃ）、黒（Ｋ）の４色の原稿色材階調データ（ラスタデータ）に変換され、次に述べるように、イエロー（Ｙ）、マゼンタ（Ｍ）、シアン（Ｃ）、黒（Ｋ）の各色の画像形成ユニット１３Ｙ、１３Ｍ、１３Ｃ、１３Ｋの露光装置１４Ｙ、１４Ｍ、１４Ｃ、１４Ｋ（露光手段の一例。以下、総称して単に「露光装置１４」とも称する。）に送られ、これらの露光装置１４では、原稿色材階調データに応じてレーザ光による画像露光が行われる。
【００２１】
タンデム型のデジタルカラー複写機ＰＲ１の内部には、上述したように、イエロー（Ｙ）、マゼンタ（Ｍ）、シアン（Ｃ）、黒（Ｋ）の４つの画像形成ユニット１３Ｙ、１３Ｍ、１３Ｃ、１３Ｋ（以下、総称して単に「画像形成ユニット１３」とも称する。）が、水平方向に間隔を空けて配置されている。
【００２２】
４つの画像形成ユニット１３Ｙ、１３Ｍ、１３Ｃ、１３Ｋは、すべて同様に構成されており、矢印Ａ方向に沿って予め設定された回転速度で回転する感光体ドラム１５（保持手段の一例）と、この感光体ドラム１５の表面を帯電する一次帯電用の帯電器１６（帯電手段の一例）と、当該感光体ドラム１５の表面に各色に対応した画像を露光して静電潜像を形成する露光装置１４と、感光体ドラム１５上に形成された静電潜像を現像してトナー像（現像剤像の一例）にする現像装置１７Ｙ、１７Ｍ、１７Ｃ、１７Ｋ（現像手段の一例。以下、総称して単に「現像装置１７」とも称する。）、トナー像転写後に感光体ドラム１５上に残留したトナー等を除去するクリーニング装置１８とから構成されている。
【００２３】
露光装置１４は、半導体レーザ１９を原稿色材階調データに応じて変調して、この半導体レーザ１９からレーザ光ＬＢを階調データに応じて出射する。半導体レーザ１９から出射されたレーザ光ＬＢは、反射ミラー２０、２１を介して回転多面鏡２２によって偏向走査され、再び反射ミラー２０、２１および複数枚の反射ミラー２３、２４を介して保持手段としての感光体ドラム１５上に走査露光される。
【００２４】
画像処理装置１２からは、イエロー（Ｙ）、マゼンタ（Ｍ）、シアン（Ｃ）、黒（Ｋ）の各色の画像形成ユニット１３の露光装置１４に各色の画像データ（ラスタデータ）が順次出力され、これらの露光装置１４から画像データに応じて出射されるレーザビームＬＢが、それぞれの感光体ドラム１５の表面に走査露光されて静電潜像が形成される。
【００２５】
各感光体ドラム１５に形成された静電潜像は、現像装置１７によって、それぞれイエロー（Ｙ）、マゼンタ（Ｍ）、シアン（Ｃ）、黒（Ｋ）の各色のトナー像として現像される。
【００２６】
各画像形成ユニット１３の感光体ドラム１５上に、順次形成されたイエロー（Ｙ）、マゼンタ（Ｍ）、シアン（Ｃ）、黒（Ｋ）の各色のトナー像は、各画像形成ユニット１３Ｙ、１３Ｍ、１３Ｃ、１３Ｋの下方に配置された中間転写ベルト２５（中間転写体の一例）上に、一次転写ロール２６Ｙ、２６Ｍ、２６Ｃ、２６Ｋ（一次転写手段の一例）によって相互に重ね合わされるように、つまり多重に転写される。
【００２７】
この中間転写ベルト２５は、ベルト駆動ロール２７（中間転写体支持部材の一例）と、テンションロール２８（中間転写体支持部材の一例）と、テンショナ２９（中間転写体支持部材の一例）と、アイドルロール３０（中間転写体支持部材の一例）と、バックアップロール３１（中間転写体支持部材の一例）と、アイドルロール３２（中間転写体支持部材の一例）との間に掛け回されて支持されている。そして、テンショナ２９によって予め決められたテンションが付与された状態で、図示しない駆動モータによって回転駆動される駆動力伝達ロールによって従動回転されるベルト駆動ロール２７により、矢印Ａに示す周方向に回転するようになっている。
【００２８】
中間転写ベルト２５としては、例えば、可撓性を有するポリアミドイミド等の合成樹脂フィルムを帯状に形成し、この帯状に形成された合成樹脂フィルムの両端を溶着等の手段によって接続することにより、無端状に形成したものが用いられる。
【００２９】
中間転写ベルト２５上に多重に転写されたイエロー（Ｙ）、マゼンタ（Ｍ）、シアン（Ｃ）、黒（Ｋ）のトナーからなるトナー像は、バックアップロール３１に圧接する２次転写ロール３３（二次転写手段）によって、圧接力および静電気力で記録媒体としての記録用紙３４上に一括して２次転写され、この各色のトナー像が転写された記録用紙３４は、２連の搬送ベルト３５、３６によって定着器３７（定着手段の一例）へと搬送される。
【００３０】
そして、上記各色のトナー像が転写された記録用紙３４は、定着器３７によって熱および圧力で定着処理を受け、デジタルカラー複写機ＰＲ１の外部に設けられた排出トレイ３８上に排出される。
【００３１】
記録用紙３４は、図１に示すように、複数の給紙トレイ３９、４０、４１のうちの何れかのトレイから、給紙ローラ４２および記録用紙搬送用のローラ対４３、４４、４５からなる記録用紙搬送経路４６を介して、レジストロール４７まで一旦搬送される。
【００３２】
給紙トレイ３９、４０、４１のうちの何れかから供給された記録用紙３４は、予め決められたタイミングで回転駆動されるレジストロール４７によって中間転写ベルト２５上へ送出される。
【００３３】
そして、黒、イエロー、マゼンタおよびシアンの４つの画像形成ユニット１３Ｙ、１３Ｍ、１３Ｃ、１３Ｋでは、上述したように、それぞれ黒、イエロー、マゼンタ、シアンのトナー像が順次形成されるようになっている。
【００３４】
そして、このようなデジタルカラー複写機ＰＲ１には電源４９（電圧印加手段の一例）が設けられており、前述した回転要素（例えば感光体ドラム１５、ベルト駆動ロール２７、一次転写ロール２６Ｙ、２６Ｍ、２６Ｃ、２６Ｋ、二次転写ロール３３など）を駆動するモータ（図示せず）への電力供給、一次転写ロール２６Ｙ、２６Ｍ、２６Ｃ、２６Ｋや二次転写ロール３３へトナー像の転写バイアス印加などが行われる。
【００３５】
さらに、デジタルカラー複写機ＰＲ１にはＣＰＵ（Ｃｅｎｔｒａｌ  Ｐｒｏｃｅｓｓｉｎｇ  Ｕｎｉｔ）５１（制御手段の一例）が設けられており、当該デジタルカラー複写機ＰＲ１による画像形成に係わる装置の動作（つまり、前述した一連の画像形成動作）を制御する。
【００３６】
なお、感光体ドラム１５は、トナー像の転写工程が終了した後、クリーニング装置１８によって残留トナーや紙粉等が除去されて、次の画像形成プロセスに備える。また、中間転写ベルト２５は、ベルト用クリーナ４８によって残留トナーが除去される。さらに、二次転写ロール３３は、中間転写ベルト２５を介して付着したトナーがクリーニングブレード５１（除去手段の一例）によって除去される。
【００３７】
このような中間転写方式のデジタルカラー複写機ＰＲ１においては、記録用紙３４に余白を作って画像の形成を行う形成態様（以下、「第１の画像形成態様」という。）と、記録用紙３４の全面を使って画像の形成を行う縁なし印刷と呼ばれる形成態様（第２の画像形成態様）が選択的に実行されるようにＣＰＵ５１により制御されている。
【００３８】
そして、図２（ａ）に示すように、第２の画像形成態様においては、中間転写ベルト２５上に記録用紙３４よりも大きなトナー像が形成される。したがって、図２（ｂ）に示すように、二次転写後の中間転写ベルト３４には、記録用紙３４に転写されなかった縦横４辺分の余分なトナー像が残留してしまう。
【００３９】
ここで、二次転写ロール３３の周辺の構成について、図３に示す。
【００４０】
図示するように、先端が二次転写ロール３３に接触するようにして、前述したクリーニングブレード５１が設けられている。したがって、二次転写ロール３３に付着したトナーはクリーニングブレード５１によって掻き取られるようにして除去される。
【００４１】
また、クリーニングブレード５１と二次転写ロール３３との接触位置よりも二次転写ロール３３の回転方向下流側で当該二次転写ロール３３に接触するようにして、ブラシ５２（除去手段の一例）が配置されている。このブラシ５２は、軸部５２ａと当該軸部５２ａの回りに設けられたブラシ部５２ｂとを備えており、ブラシ部５２ｂを二次転写ロール３３に接触させながら軸部５２ａを中心にして回転するようになっている。したがって、クリーニングブレード５１では除去しきれなかった二次転写ロール３３の微少なトナーが、ブラシ５２の回転により除去される。
【００４２】
さらに、ブラシ５２に接触するようにして、ステアリン酸亜鉛（ＺｎＳｔ）からなる潤滑剤５３が配置されている。そして、ブラシ５２の回転により潤滑剤５３が二次転写ロール３３に塗布され、当該二次転写ロール３３と中間転写ベルト２５との摩擦が緩和されている。
【００４３】
このような構成において、第２の画像形成態様を実行した際に前述した中間転写ベルト２５上の余分なトナー像（トナー）は、図３（ａ）に示すように、バックアップロール３１との対向位置である二次転写位置において、中間転写ベルト２５から直接二次転写ロール３３に転写される。具体的には、記録用紙３４に転写されなかった縦横４辺分の余分なトナー像が最大３００％の濃度（４色のトナーの濃度の合計濃度）で中間転写ベルト２５から二次転写ロール３３に転写される。
【００４４】
なお、図１に示すように、イエロー、マゼンタ、シアン、ブラックのトナー像の順に中間転写ベルト２５に転写されて４層の重畳トナー像になることから、中間転写ベルト２５ではイエローのトナー像が最下層となってマゼンタ、シアンのトナー像が積層され、ブラックのトナー像が最上層となる。一方、二次転写ロール３３に転写されると、逆にブラックのトナー像が最下層となって、シアン、マゼンタのトナー像が積層され、イエローのトナー像が最上層となる。
【００４５】
回転する二次転写ロール３３に転写された４層の厚みのトナーはクリーニングブレード５１およびブラシ５２によって除去されるものの、図３（ｂ）に示すように、完全には除去されない。そして、除去されなかったトナーが二次転写ロール３３上に残って周回して二次転写位置に到達すると、記録用紙３４の裏面（より正確には、記録用紙３４の搬送方向下流側の裏面）が汚染される。なお、除去されないトナーは、二次転写ロール３３において下層に位置するブラック、シアンのトナーであることが多い。
【００４６】
ここで、縦横４辺分の余分なトナー像の内で、記録用紙３４の搬送方向に対して縦側に位置していた二次転写ロール３３上のトナーは記録用紙３４の幅からはみ出した位置にあるために、記録用紙３４には転写されにくい。また、記録用紙３４の搬送方向に対して下流側に位置していた二次転写ロール３３上のトナーは、次の記録用紙３４が二次転写位置に到達するまでに、二次転写ロール３３の回転に伴い複数回クリーニングブレード５１等によりクリーニングされてほとんど除去されてしまう。しかしながら、記録用紙３４の搬送方向に対して上流側に位置していた二次転写ロール３３上のトナーは、二次転写中に二次転写ロール３３の回転に伴って二次転写位置に到達して当該記録用紙３４の裏面を汚染してしまう。
【００４７】
ここで、クリーニングブレード５１とブラシ５２による二次転写ロール３３に付着したトナーの除去能力についての検討を行った。ここで、クリーニングブレード５１やブラシ５２の形状を見直して二次転写ロール３３との接触面積を増やすことも考えられるが、形状が複雑になってコストが上昇する懸念がある。そして様々な検討の結果、二次転写ロール３３の回転速度が遅くなれば、トナー除去能力が向上することを見出した。つまり、中間転写ベルト２５から二次転写ロール３３に転写されたトナーによる記録用紙３４の裏面の汚染が緩和されることを見出した。
【００４８】
但し、単に二次転写ロール３３の回転を遅くすることは、結果的に画像形成速度を遅くすることになるので、高速処理の要請に反することになり、望ましくない。そこで、二次転写ロール３３の周速度を異ならせたときの、二次転写ロール３３の転写バイアス電圧と記録用紙３４の裏面汚れグレードとの関係についての検討を行った。その結果、第１の画像形成態様における一般的な二次転写ロール３３の周速度である３０８ｍｍ／ｓｅｃ（第１の速度の一例）に対して、当該二次転写ロール３３の周速度を２２０ｍｍ／ｓｅｃ（第２の速度の一例）にしたときに、つまり二次転写ロール３３の周速度を約７０％に落としたときに、良好な結果が得られることが判明した。そこで、第２の画像形成態様における二次転写ロール３３の周速度を第１の画像形成態様における二次転写ロール３３の周速度の約７０％以下にすればよいとの知見が得られた。
【００４９】
ここで、二次転写ロール３３の周速度が３０８ｍｍ／ｓｅｃのときと２２０ｍｍ／ｓｅｃのときにおける二次転写ロール３３の転写バイアス電圧と記録用紙３４の裏面汚れグレードとの関係について、図４に示す。
【００５０】
図４において、裏面汚れグレードの数値は、１ｍ２当たり１５ｇのトナーが二次転写ロール３３に転写されたときの記録用紙３４の裏面に対する目視判断による観念的な汚れの値であり、数値が大きくなるほど汚れグレードが悪化することを示す。また、目標値は、過半数の人にとって記録用紙３４の裏面汚れが許容範囲と感じるであろうレベルの限界値である。
【００５１】
図４に示すように、二次転写ロール３３の周速度が３０８ｍｍ／ｓｅｃのときには、二次転写ロール３３の転写バイアス電圧が０．１ｋＶになると、早くも裏面汚染グレードが目標値よりも悪化してしまう。一方、二次転写ロール３３の周速度が２２０ｍｍ／ｓｅｃのときには、二次転写ロール３３の転写バイアス電圧が１．１５ｋＶのときまで、裏面汚染グレードが目標値内に収まっている。一般的な転写バイアス電圧は０．６〜１ｋＶであることから、二次転写ロール３３の周速度を２２０ｍｍ／ｓｅｃ以下にすれば（つまり、３０８ｍｍ／ｓｅｃの約７０％以下にすれば）、転写バイアス電圧を落とすことなく、換言すれば中間転写ベルト２５から記録用紙３４へのトナー転写効率を低下させることなく、記録用紙３４の裏面の汚染が緩和される。
【００５２】
そこで、本デジタルカラー複写機ＰＲ１では、第１の画像形成態様が選択されたときには二次転写ロール３３の周速度が３０８ｍｍ／ｓｅｃで画像形成が実行され、第２の画像形成態様が選択されたときにはそれよりも遅い２２０ｍｍ／ｓｅｃで画像の形成が実行されるように、前述したＣＰＵ５１により、画像の形成速度が制御されている。
【００５３】
ここで、二次転写ロール３３の周速度が３０８ｍｍ／ｓｅｃのときと２２０ｍｍ／ｓｅｃのときにおけるトナーの帯電量と付着力との数値を図５の表に示す。また、二次転写ロール３３の周速度が３０８ｍｍ／ｓｅｃのときと２２０ｍｍ／ｓｅｃのときにおけるトナーの帯電分布と付着力との関係を図６のグラフに示す。
【００５４】
図５および図６に示すように、二次転写ロール３３の周速度が３０８ｍｍ／ｓｅｃのときと２２０ｍｍ／ｓｅｃのときとを比較すると、２２０ｍｍ／ｓｅｃのときの方がトナーの帯電量が小さくなって付着力も小さくなっていることが、つまりトナーが二次転写ロール３３から剥がれやすくなっていることが（除去されやすくなっていることが）分かる。
【００５５】
このことから、二次転写ロール３３の周速度を落とすとトナーの帯電量が小さくなって二次転写ロール３３への付着力が小さくなり、その結果、クリーニングブレード５１とブラシ５２とによる二次転写ロール３３に対してのトナー除去能力が向上し、前述のように、記録用紙３４の裏面の汚染が緩和されるものと言える。
【００５６】
以上本発明者によってなされた発明を実施の形態に基づき具体的に説明したが、本明細書で開示された実施の形態はすべての点で例示であって、開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【００５７】
例えば、本実施の形態の除去手段としてはクリーニングブレードおよびブラシが用いられているが、本発明の除去手段はこれらの両方でもよいし、何れか一方でもよい。あるいは、これら以外であっても、二次転写ロール（二次転写手段）に付着したトナー（現像剤）が除去される部材であればよい。
【００５８】
また、上述した二次転写ロール（二次転写手段）の周速度は一例に過ぎない。したがって、本発明はこれらの周速度に限定されるものではない。
【００５９】
さらに、本実施の形態では、第１の速度および第２の速度は二次転写ロール（二次転写手段）の周速度で規定されているが、広く画像形成速度（感光体ドラムの回転速度、中間転写ベルトの回転速度、記録媒体である記録用紙の搬送速度など）で第１の速度および第２の速度を捉えてもよい。
【００６０】
そして、二次転写ロール３３の周速度が遅ければ記録用紙３４の裏面の汚染緩和が期待されるので、第２の速度は第１の速度よりも遅ければ足り、第１の速度の約７０％である必要はない。但し、第２の速度を極端に遅くすると、現像時にトナー（現像剤）が過剰に感光体ドラムに供給されるなどといった現象が発生して画質が悪化することに留意すべきである。
【産業上の利用可能性】
【００６１】
本発明の画像形成装置は、中間転写体を用いた画像記録方式の様々な画像形成装置に適用され、用いられる現像剤の色数や種類は限定されるものではない。また、記録媒体としては記録用紙に限定されるものではなく、フィルムなど、現像剤が定着する様々なものが適用される。
【符号の説明】
【００６２】
１４  露光装置
１５  感光体ドラム
１７  現像装置
２５  中間転写ベルト
２６Ｙ、２６Ｍ、２６Ｃ、２６Ｋ  一次転写ロール
２７  ベルト駆動ロール
２８  テンションロール
２９  テンショナ
３０  アイドルロール
３１  バックアップロール
３２  アイドルロール
３３  二次転写ロール
３４  記録用紙
３７  定着器
ＰＲ１  デジタルカラー複写機
【図１】
2013152302.tif 000003
【図３】
2013152302.tif 000004
【図４】
2013152302.tif 000005
【図５】
2013152302.tif 000006
【図６】
2013152302.tif 000007
【図２】
2013152302.tif 000008